(57)【要約】      （修正有）【課題】シンボルを副搬送波にマッピングするために第１の電気通信デバイス及び第２の電気通信デバイスによって使用されるシフトパラメータｐ1及びｐ2を決定する。【解決手段】第１の電気通信デバイス及び第２の電気通信デバイスに副搬送波を割り当てるステップであって、第１の電気通信デバイスに割り当てられた副搬送波の少なくとも一部は、第２の電気通信デバイスに割り当てられる、第１の電気通信デバイス及び第２の電気通信デバイスに副搬送波を割り当てるステップ、並びにシフトパラメータｐ2を決定するステップであって、該シフトパラメータｐ2は、偶数であり、第１の電気通信デバイス及び第２の電気通信デバイスの双方に割り当てられた重なり合う副搬送波の個数に等しいか又は、重なり合う副搬送波の個数をＭ2から引いたものに等しい、シフトパラメータｐ2を決定するステップを含む。【選択図】図２
2010154528.tif 000002
【特許請求の範囲】
【請求項１】
シンボルを副搬送波にマッピングするために第１の電気通信デバイス及び第２の電気通信デバイスによって使用されるシフトパラメータｐ1及びｐ2を決定する方法であって、前記第１の電気通信デバイスは少なくとも２つの送信アンテナを備え、前記シンボルは、前記第１の電気通信デバイスの各アンテナを介して、少なくとも２よりも厳密に大きな偶数「Ｍ1」個の、前記第１の電気通信デバイスに割り当てられた副搬送波で転送され、前記第２の電気通信デバイスは少なくとも２つの送信アンテナを備え、前記シンボルは、前記第２の電気通信デバイスの各アンテナを介して、Ｍ1以上の偶数「Ｍ2」個の、前記第２の電気通信デバイスに割り当てられた副搬送波で転送され、
前記第１の電気通信デバイスは、該第１の電気通信デバイスの第１のアンテナにおいてタイムスロット中にｋ１＝０〜Ｍ1−１を有する各周波数「ｋ１」で、周波数領域におけるシンボル「Ｘk1」を表す信号を転送し、
前記第１の電気通信デバイスは、該第１の電気通信デバイスの第２のアンテナにおいて前記タイムスロット中にｋ１＝０〜Ｍ1−１を有する各周波数「ｋ１」で、各周波数ｋ１について、式
【数１】
2010154528.tif 000018
によって前記シンボルＸk1から導出されたシンボル「Ｘ’ k1」を表す信号を転送し、ここで、εは１又は−１であり、Ｘ*はＸの複素共役を意味し、ｐ1−１−ｋ１はモジュロＭ1が取られ、ｐ1は偶数であり、
前記第２の電気通信デバイスは、該第２の電気通信デバイスの第１のアンテナにおいて所与のタイムスロット中にｋ２＝０〜Ｍ2−１を有する各周波数「ｋ２」で、周波数領域におけるシンボル「Ｙk2」を表す信号を転送し、
前記第２の電気通信デバイスは、該第２の電気通信デバイスの第２のアンテナにおいて同じタイムスロット中にｋ２＝０〜Ｍ2−１を有する各周波数「ｋ２」で、各周波数ｋ２について、式
【数２】
2010154528.tif 000019
によって前記シンボルＹk2から導出されたシンボル「Ｙ’ k2」を表す信号を転送し、ここで、ｐ2−１−ｋ２はモジュロＭ2が取られ、ｐ2は偶数であり、
該方法は、
前記第１の電気通信デバイス及び前記第２の電気通信デバイスに副搬送波を割り当てるステップであって、前記第１の電気通信デバイスに割り当てられた前記副搬送波の少なくとも一部は、前記第２の電気通信デバイスにも割り当てられる、前記第１の電気通信デバイス及び前記第２の電気通信デバイスに副搬送波を割り当てるステップ、並びに
前記シフトパラメータｐ2を決定するステップであって、該シフトパラメータｐ2は、偶数であり、少なくとも、前記第１の電気通信デバイス及び前記第２の電気通信デバイスの双方に割り当てられた重なり合う副搬送波の個数に等しいか、又は、前記シフトパラメータｐ2は、偶数であり、多くとも、前記第１の電気通信デバイス及び前記第２の電気通信デバイスの双方に割り当てられた重なり合う副搬送波の個数をＭ2から引いたものに等しい、前記シフトパラメータｐ2を決定するステップ、
を含む、方法。
【請求項２】
前記方法は、前記シフトパラメータｐ1を決定するステップをさらに含み、該シフトパラメータｐ1は、偶数であり、前記シフトパラメータｐ2とは異なることを特徴とする、請求項１に記載の方法。
【請求項３】
前記第１の電気通信デバイスに割り当てられた各副搬送波は、前記第２の電気通信デバイスにも割り当てられ、Ｍ2はＭ1よりも厳密に大きく、ｐ1はヌル値に等しいものとして決定され、ｐ2はＭ1に等しいものとして決定されることを特徴とする、請求項２に記載の方法。
【請求項４】
Ｍ2＝２Ｍ1であり、前記方法は、前記第２の電気通信デバイスが、Ｍ2を２で除算したものに等しい非ヌルのシフトパラメータを使用しなければならないことを示す情報を前記第２の電気通信デバイスへ転送するステップをさらに含むことを特徴とする、請求項３に記載の方法。
【請求項５】
前記方法は、前記第１の電気通信デバイスがヌルのシフトパラメータを使用しなければならないことを示す情報を前記第１の電気通信デバイスへ転送するステップをさらに含むことを特徴とする、請求項４に記載の方法。
【請求項６】
前記第２の電気通信デバイスによって使用される前記シフトパラメータの値を示す情報を前記第２の電気通信デバイスへ転送するステップをさらに含むことを特徴とする、請求項３に記載の方法。
【請求項７】
前記第１の電気通信デバイスに割り当てられた各副搬送波は、前記第２の電気通信デバイスに割り当てられ、該第２の電気通信デバイスに割り当てられたが、前記第１の電気通信デバイスに割り当てられていない前記副搬送波は、前記第１の電気通信デバイス及び前記第２の電気通信デバイスの双方に割り当てられた前記副搬送波を取り囲むことを特徴とする、請求項２に記載の方法。
【請求項８】
各電気通信デバイスに割り当てられた前記副搬送波を表す情報を該電気通信デバイスへ転送するステップをさらに含むことを特徴とする、請求項１ないし７のいずれか一項に記載の方法。
【請求項９】
前記方法は、基地局によって実行され、
前記第１の電気通信デバイスについて決定された前記シフトパラメータを使用して、前記第１の電気通信デバイスに割り当てられた副搬送波へのシンボルのマッピングを解除するステップ、及び
前記第２の電気通信デバイスについて決定された前記シフトパラメータを使用して、前記第２の電気通信デバイスに割り当てられた副搬送波へのシンボルのマッピングを解除するステップ、
をさらに含むことを特徴とする、請求項８に記載の方法。
【請求項１０】
各電気通信デバイスによって実行されるステップであって、該電気通信デバイスについて決定された前記シフトパラメータを使用して、該電気通信デバイスに割り当てられた副搬送波にシンボルをマッピングするステップをさらに含むことを特徴とする、請求項９に記載の方法。
【請求項１１】
シンボルを副搬送波にマッピングするために第１の電気通信デバイス及び第２の電気通信デバイスによって使用されるシフトパラメータｐ1及びｐ2を決定するためのデバイスであって、前記第１の電気通信デバイスは少なくとも２つの送信アンテナを備え、前記シンボルは、前記第１の電気通信デバイスの各アンテナを介して、少なくとも２よりも厳密に大きな偶数「Ｍ1」個の、前記第１の電気通信デバイスに割り当てられた副搬送波で転送され、前記第２の電気通信デバイスは少なくとも２つの送信アンテナを備え、前記シンボルは、前記第２の電気通信デバイスの各アンテナを介して、Ｍ1以上の偶数「Ｍ2」個の、前記第２の電気通信デバイスに割り当てられた副搬送波で転送され、
前記第１の電気通信デバイスは、該第１の電気通信デバイスの第１のアンテナにおいてタイムスロット中にｋ１＝０〜Ｍ1−１を有する各周波数「ｋ１」で、周波数領域におけるシンボル「Ｘk1」を表す信号を転送し、
前記第１の電気通信デバイスは、該第１の電気通信デバイスの第２のアンテナにおいて前記タイムスロット中にｋ１＝０〜Ｍ1−１を有する各周波数「ｋ１」で、各周波数ｋ１について、式
【数３】
2010154528.tif 000020
によって前記シンボルＸk1から導出されたシンボル「Ｘ’k1」を表す信号を転送し、ここで、εは１又は−１であり、Ｘ*はＸの複素共役を意味し、ｐ1−１−ｋ１はモジュロＭ1が取られ、ｐ1は偶数であり、
前記第２の電気通信デバイスは、該第２の電気通信デバイスの第１のアンテナにおいて所与のタイムスロット中にｋ２＝０〜Ｍ2−１を有する各周波数「ｋ２」で、周波数領域におけるシンボル「Ｙk2」を表す信号を転送し、
前記第２の電気通信デバイスは、該第２の電気通信デバイスの第２のアンテナにおいて同じタイムスロット中にｋ２＝０〜Ｍ2−１を有する各周波数「ｋ２」で、各周波数ｋ２について、式
【数４】
2010154528.tif 000021
によって前記シンボルＹk2から導出されたシンボル「Ｙ’ k2」を表す信号を転送し、ここで、ｐ2−１−ｋ２はモジュロＭ2が取られ、ｐ2は偶数であり、
該シフトパラメータを決定するためのデバイスは、
前記第１の電気通信デバイス及び前記第２の電気通信デバイスに副搬送波を割り当てる手段であって、前記第１の電気通信デバイスに割り当てられた前記副搬送波の少なくとも一部は、前記第２の電気通信デバイスにも割り当てられる、前記第１の電気通信デバイス及び前記第２の電気通信デバイスに副搬送波を割り当てる手段、並びに
前記シフトパラメータｐ2を決定する手段であって、該シフトパラメータｐ2は、偶数であり、少なくとも、前記第１の電気通信デバイス及び前記第２の電気通信デバイスの双方に割り当てられた重なり合う副搬送波の個数に等しいか、又は、前記シフトパラメータｐ2は、偶数であり、多くとも、前記第１の電気通信デバイス及び前記第２の電気通信デバイスの双方に割り当てられた重なり合う副搬送波の個数をＭ2から引いたものに等しい、前記シフトパラメータｐ2を決定する手段、
を備える、デバイス。
【請求項１２】
プログラマブルデバイス内に直接ロード可能とすることができるコンピュータプログラムであって、該コンピュータプログラムがプログラマブルデバイス上で実行されると請求項１ないし１０のいずれか一項に記載の方法の前記ステップを実施するための命令又はコード部を含む、コンピュータプログラム。
【発明の詳細な説明】
【技術分野】
【０００１】
本発明は、包括的には、シンボルを転送するために少なくとも第１の電気通信デバイス及び第２の電気通信デバイスによって使用されるシフトパラメータ（shifting parameter）を決定するための方法及びデバイスに関する。
【０００２】
より正確には、本発明は、特にＯＦＤＭ伝送方式又はＯＦＤＭＡライクの伝送方式と共に使用されるＭＩＭＯ（多入力多出力）通信の状況で使用される符号化方式及び復号方式の分野に含まれる。
【背景技術】
【０００３】
直交周波数分割多重（ＯＦＤＭ）は、周波数分割多重（ＦＤＭ）の原理に基づいており、デジタル変調方式として実施される。送信されるビットストリームは、通常は数十から数千に至るいくつかの並列ビットストリームに分けられる。利用可能な周波数スペクトルはいくつかのサブチャネルに分割され、例えばＰＳＫ、ＱＡＭ等の標準的な変調方式を使用して副搬送波を変調することによって、各低レートのビットストリームが１つのサブチャネルによって送信される。副搬送波の周波数は、変調されたデータストリームが互いに直交するように選ばれ、これは、サブチャネル間のクロストークが除去されることを意味する。
【０００４】
ＯＦＤＭの主要な利点は、ＯＦＤＭが、複雑な等化フィルタなしで、例えばマルチパス及び狭帯域の干渉といった厳しいチャネル状態をうまく処理することができることである。チャネル等化は、１つの高速変調された広帯域信号の代わりに多くの低速変調された狭帯域信号を使用することによって単純化される。
【０００５】
ＤＦＴ拡散ＯＦＤＭ又はＳＣ−ＦＤＭＡ（単一搬送波周波数分割多重アクセス）と呼ばれる変形が開発されている。このシステムでは、送信される各シンボルは、ＤＦＴ（離散フーリエ変換）によって送信周波数のセットにわたり拡散され、その結果の信号は、従来のＯＦＤＭ送信システムによって送信される。
【０００６】
符号化／復号の実際の実施は、周波数領域又は時間領域のいずれかで行われるが、周波数領域で実施する方が好ましい場合がある。
【０００７】
放射器及び受信機の双方にいくつかのアンテナを使用することによって、ＭＩＭＯシステムが得られるが、これによって、伝送のロバスト性の改善が可能になることが分かっている。この改善されたロバスト性は、従来のレンジ対帯域幅のトレードオフを調整することによってレンジ又は帯域幅を増加させるのに使用することができる。放射器において複数のアンテナを活用するためにいくつかのタイプのダイバーシティ方式を使用することができる。
【０００８】
アラモウチ（Alamouti）は、送信される情報が、異なるアンテナによって空間において拡散され、異なるタイムスロットを使用して時間において拡散される直交時空間ブロック符号（ＯＳＴＢＣ）を開発した。アラモウチ符号に関する参照論文は、非特許文献１である。アラモウチ符号の第１の実施態様では、２つの送信アンテナ（ＦｉｒｓｔＡｎｔ及びＳｅｃｏｎｄＡｎｔ）が、２つのシンボルａ及びｂを２つのタイムスロット（Ｔ１及びＴ２）で転送するのに使用される。時刻Ｔ１において、アンテナＦｉｒｓｔＡｎｔはシンボルａを送信し、その時、アンテナＳｅｃｏｎｄＡｎｔはシンボルｂを送信する。時刻Ｔ２において、アンテナＦｉｒｓｔＡｎｔはシンボル−ｂ*を送信し、その時、アンテナＳｅｃｏｎｄＡｎｔはシンボルａ*を送信する。ここで、「*」は、複素共役を表す。このアラモウチ符号を、仮に従来の時間におけるアラモウチ（classical Alamouti in time）と呼ぶことにする。このアラモウチ符号は、単純な符号化及び復号を提供する利点を有し、ダイバーシティが増加することによって、より良い性能がもたらされる。スループットは増加しないことに留意すべきである。最適なＭＡＰ（最大事後確率（Maximum A Posteriori）を表す）復号は非常に単純であり、チャネルがＴ１とＴ２との間で変動しない限り且つチャネルを単純な乗算によって特徴付けることができる限り、この最適なＭＡＰ復号は、逆行列、ログ目録（log enumeration）、又は球内復号を必要としない。最適なＭＡＰ復号は、必然的に、ＯＦＤＭ変調方式又はＯＦＤＭライクの変調方式とうまく組み合わせられる。
【０００９】
直交空間周波数ブロック符号（Orthogonal Space Frequency Block Code）を表すＯＳＦＢＣと呼ばれるアラモウチ符号の第２の実施態様は、２つの異なるタイムスロットによるのではなく、２つの異なる周波数（Ｆ１及びＦ２）によるデータの送信に基づいている。２つの送信アンテナ（ＦｉｒｓｔＡｎｔ及びＳｅｃｏｎｄＡｎｔ）によって、２つのシンボルａ及びｂが、２つの周波数（Ｆ１及びＦ２）でそれぞれ送信される。アンテナＦｉｒｓｔＡｎｔはシンボルａを送信し、その時、アンテナＳｅｃｏｎｄＡｎｔはシンボルｂを送信する。アンテナＦｉｒｓｔＡｎｔを介して、シンボル−ｂ*が周波数Ｆ１で送信され、シンボルａ*がアンテナＳｅｃｏｎｄＡｎｔを介して周波数Ｆ２で送信される。
【００１０】
これらの２つの周波数は隣接し、チャネルの変動が制限される。
【００１１】
定義によれば、この方式は、ＯＦＤＭ変調方式又はＯＦＤＭライクの変調方式に適用される。ＯＦＤＭライクの変調によって、好ましくは（ただし、厳密には必ずしもそうではない）、例えば説明したＤＦＴ拡散ＯＦＤＭのようにサイクリックプレフィックスが追加された、例えば単一搬送波方式の或る周波数領域の実施態様が示される。ＯＳＴＢＣと比較すると、利点は、１つの変調スロットしか使用しないということである。これは、多重化の観点で有利となる可能性があり、高ドップラ（high Doppler）のようなチャネルの非常に高速な変動の場合に、より良い性能をもたらす場合がある。アラモウチ符号は、その単純な実施態様及び良好な性能のために、ＭＩＭＯ伝送に使用される非常に魅力的な方式である。これらの符号は、ＳＣ−ＦＤＭＡライクの変調方式に適用されると、各アンテナについて低変動包絡線(envelope)特性を有する信号を生成する有用な特徴を有しておらず、包絡線は、複素包絡線のモジュラス(modulus)となる。
【００１２】
公開特許発明の特許文献１において、この公開特許発明は、少なくとも２つの送信アンテナを備える放射器による無線データ放射の方法を提案している。第１のアンテナで送信される信号は、周波数領域では、放射器に割り当てられたＭ個の副搬送波のそれぞれにおけるシンボルの第１のアンテナでの放射をもたらすサイズＭのＤＦＴに起因するものと考えられる。ＳＣ（ｐ）関係式は、第１のアンテナＦｉｒｓｔＡｎｔで放射される信号Ｓから第２のアンテナＳｅｃｏｎｄＡｎｔで放射される信号を与えるｋ＝０〜Ｍ−１についての
【００１３】
【数１】
2010154528.tif 000003
【００１４】
によって定義される。ここで、ｐは、０とＭ−１との間の偶数のシフトパラメータ(an even shifting parameter)であり、ｋは、周波数領域で使用される各副搬送波のインデックスである。
【００１５】
上述した技法の使用は、移動局のような複数のデバイスが、互いに重なり合う異なる帯域幅をデータ送信に使用するシステムには適合していない。
【００１６】
図１ａは、第１の放射器が２つの送信アンテナＡｎｔ１１及びＡｎｔ１２を備える一例を示す。アンテナＡｎｔ１１で送信される信号は、周波数領域では、Ｍ個の副搬送波のそれぞれにおけるシンボルのアンテナＡｎｔ１１での放射をもたらすサイズＭ＝８のＤＦＴに起因するものと考えられる。ｋ＝０〜Ｍ−１について
【００１７】
【数２】
2010154528.tif 000004
【００１８】
によって定義される、ＳＣ（ｐ）関係式（ｐ＝４）は、アンテナＡｎｔ１１で放射される信号ＸからアンテナＡｎｔ１２で放射される信号を与える。
【００１９】
図１ｂは、第２の放射器が２つの送信アンテナＡｎｔ２１及びＡｎｔ２２を備える一例を示す。アンテナＡｎｔ２１で送信される信号は、周波数領域では、Ｍ個の副搬送波のそれぞれにおけるシンボルのアンテナＡｎｔ２１での放射をもたらすサイズＭ＝１２のＤＦＴに起因するものと考えられる。ｋ＝０〜Ｍ−１について
【００２０】
【数３】
2010154528.tif 000005
【００２１】
によって定義される、ＳＣ（ｐ）関係式（ｐ＝６）は、アンテナＡｎｔ２１で放射される信号ＹからアンテナＡｎｔ２２で放射される信号を与える。
【００２２】
第１の放射器及び第２の放射器が、重なり合う周波数帯域でデータを同時に送信するとき、例えば、第１の放射器が、図１ｃの１〜８で示す副搬送波から成る周波数帯域でデータを送信し、第２の放射器が、０〜１１で示す副搬送波から成る周波数帯域でデータを送信するとき、いくつかの機能障害の問題が発生する。副搬送波５では、データ対（Ｘ４，−Ｘ７*）及び（Ｙ５，Ｙ０*）が転送されるが、搬送波８では、データ対（Ｘ７，Ｘ４*）が転送され、対（Ｙ０，−Ｙ５*）はその搬送波では転送されない。
【先行技術文献】
【特許文献】
【００２３】
【特許文献１】国際公開第２００８／０９８６７２号明細書
【非特許文献】
【００２４】
【非特許文献１】「A simple transmit diversity technique for wireless communications」, IEEE J. Select. Areas Commun., vol. 16, pp. 1451-1458, October 1998
【発明の概要】
【発明が解決しようとする課題】
【００２５】
このような機能障害は、受信機側における受信シンボルの復号が可能でない状況をもたらす。
【００２６】
本発明は、重なり合う周波数帯域で複数の放射器によって同時に送信されるシンボルの復号を可能にすることを目的とする。
【課題を解決するための手段】
【００２７】
このために、本発明は、シンボルを副搬送波にマッピングするために第１の電気通信デバイス及び第２の電気通信デバイスによって使用されるシフトパラメータｐ1及びｐ2を決定する方法であって、第１の電気通信デバイスは少なくとも２つの送信アンテナを備え、シンボルは、第１の電気通信デバイスの各アンテナを介して、少なくとも２よりも厳密に(strictly)大きな偶数「Ｍ1」個の、第１の電気通信デバイスに割り当てられた使用済みの副搬送波で転送され、第２の電気通信デバイスは少なくとも２つの送信アンテナを備え、シンボルは、第２の電気通信デバイスの各アンテナを介して、Ｍ1以上の偶数「Ｍ2」個の、第２の電気通信デバイスに割り当てられた副搬送波で転送され、
第１の電気通信デバイスは、該第１の電気通信デバイスの第１のアンテナにおいてタイムスロット中にｋ１＝０〜Ｍ1−１を有する各周波数「ｋ１」で、周波数領域におけるシンボル「Ｘk1」を表す信号を転送し、
第１の電気通信デバイスは、該第１の電気通信デバイスの第２のアンテナにおいてタイムスロット中にｋ１＝０〜Ｍ1−１を有する使用済みの各周波数「ｋ１」で、各周波数ｋ１について、式
【００２８】
【数４】
2010154528.tif 000006
【００２９】
によってシンボルＸk1から導出されたシンボル「Ｘ’ k1」を表す信号を転送し、ここで、εは１又は−１であり、Ｘ*はＸの複素共役を意味し、ｐ1−１−ｋ１はモジュロＭ1が取られ、ｐ1は偶数であり、
第２の電気通信デバイスは、該第２の電気通信デバイスの第１のアンテナにおいて所与のタイムスロット中にｋ２＝０〜Ｍ2−１を有する各周波数「ｋ２」で、周波数領域におけるシンボル「Ｙk2」を表す信号を転送し、
第２の電気通信デバイスは、該第２の電気通信デバイスの第２のアンテナにおいて同じタイムスロット中にｋ２＝０〜Ｍ2−１を有する各周波数「ｋ２」で、各周波数ｋ２について、式
【００３０】
【数５】
2010154528.tif 000007
【００３１】
によってシンボルＹk2から導出されたシンボル「Ｙ’ k2」を表す信号を転送し、ここで、ｐ2−１−ｋ２はモジュロＭ2が取られ、ｐ2は偶数であり、
該方法は、
第１の電気通信デバイス及び第２の電気通信デバイスに副搬送波を割り当てるステップであって、第１の電気通信デバイスに割り当てられた副搬送波の少なくとも一部は、第２の電気通信デバイスにも割り当てられる、第１の電気通信デバイス及び第２の電気通信デバイスに副搬送波を割り当てるステップ、並びに
シフトパラメータｐ2を決定するステップであって、該シフトパラメータｐ2は、偶数であり、少なくとも、第１の電気通信デバイス及び第２の電気通信デバイスの双方に割り当てられた重なり合う副搬送波の個数に等しいか、又は、シフトパラメータｐ2は、偶数であり、多くとも、第１の電気通信デバイス及び第２の電気通信デバイスの双方に割り当てられた重なり合う副搬送波の個数をＭ2から引いたものに等しい、シフトパラメータｐ2を決定するステップ、
を含む、方法に関する。
【００３２】
本発明はまた、シンボルを副搬送波にマッピングするために第１の電気通信デバイス及び第２の電気通信デバイスによって使用されるシフトパラメータｐ1及びｐ2を決定するためのデバイスであって、第１の電気通信デバイスは少なくとも２つの送信アンテナを備え、シンボルは、第１の電気通信デバイスの各アンテナを介して、少なくとも２よりも厳密に大きな偶数「Ｍ1」個の、第１の電気通信デバイスに割り当てられた副搬送波で転送され、第２の電気通信デバイスは少なくとも２つの送信アンテナを備え、シンボルは、第２の電気通信デバイスの各アンテナを介して、Ｍ1以上の偶数「Ｍ2」個の、第２の電気通信デバイスに割り当てられた副搬送波で転送され、
第１の電気通信デバイスは、該第１の電気通信デバイスの第１のアンテナにおいてタイムスロット中にｋ１＝０〜Ｍ1−１を有する各周波数「ｋ１」で、周波数領域におけるシンボル「Ｘk1」を表す信号を転送し、
第１の電気通信デバイスは、該第１の電気通信デバイスの第２のアンテナにおいてタイムスロット中にｋ１＝０〜Ｍ1−１を有する各周波数「ｋ１」で、各周波数ｋ１について、式
【００３３】
【数６】
2010154528.tif 000008
【００３４】
によってシンボルＸk1から導出されたシンボル「Ｘ’k1」を表す信号を転送し、ここで、εは１又は−１であり、Ｘ*はＸの複素共役を意味し、ｐ1−１−ｋ１はモジュロＭ1が取られ、ｐ1は偶数であり、
第２の電気通信デバイスは、該第２の電気通信デバイスの第１のアンテナにおいて所与のタイムスロット中にｋ２＝０〜Ｍ2−１を有する各周波数「ｋ２」で、周波数領域におけるシンボル「Ｙk2」を表す信号を転送し、
第２の電気通信デバイスは、該第２の電気通信デバイスの第２のアンテナにおいて同じタイムスロット中にｋ２＝０〜Ｍ2−１を有する各周波数「ｋ２」で、各周波数ｋ２について、式
【００３５】
【数７】
2010154528.tif 000009
【００３６】
によってシンボルＹk2から導出されたシンボル「Ｙ’ k2」を表す信号を転送し、ここで、ｐ2−１−ｋ２はモジュロＭ2が取られ、ｐ2は偶数であり、
該シフトパラメータを決定するためのデバイスは、
第１の電気通信デバイス及び第２の電気通信デバイスに副搬送波を割り当てる手段であって、第１の電気通信デバイスに割り当てられた副搬送波の少なくとも一部は、第２の電気通信デバイスに割り当てられる、第１の電気通信デバイス及び第２の電気通信デバイスに副搬送波を割り当てる手段、並びに
シフトパラメータｐ2を決定する手段であって、該シフトパラメータｐ2は、偶数であり、少なくとも、第１の電気通信デバイス及び第２の電気通信デバイスの双方に割り当てられた重なり合う副搬送波の個数に等しいか、又は、シフトパラメータｐ2は、偶数であり、多くとも、第１の電気通信デバイス及び第２の電気通信デバイスの双方に割り当てられた重なり合う副搬送波の個数をＭ2から引いたものに等しい、シフトパラメータｐ2を決定する手段、
を備える、デバイスにも関する。
【００３７】
したがって、都合の良い帯域幅割り当てが行われているとき、同じ副搬送波で複数の放射器によって同時に送信されたシンボルを復号することが可能である。
【００３８】
一特定の特徴によれば、該方法は、シフトパラメータｐ1を決定するステップをさらに含み、シフトパラメータｐ1は、偶数であり、シフトパラメータｐ2とは異なる。
【００３９】
一特定の特徴によれば、第１の電気通信デバイスに割り当てられた各副搬送波は、第２の電気通信デバイスにも割り当てられ、Ｍ2はＭ1よりも厳密に大きく、ｐ1はヌル値に等しいものとして決定され、ｐ2はＭ1に等しいものとして決定される。
【００４０】
したがって、同じ副搬送波で複数の放射器によって同時に送信されたシンボルを復号することが可能である。
【００４１】
一特定の特徴によれば、Ｍ2＝２Ｍ1であり、該方法は、第２の電気通信デバイスが、Ｍ2を２で除算したものに等しい非ヌルのシフトパラメータを使用しなければならないことを示す情報を第２の電気通信デバイスへ転送するステップをさらに含む。
【００４２】
したがって、信号伝達は制限される。
【００４３】
一特定の特徴によれば、該方法は、第１の電気通信デバイスがヌルのシフトパラメータを使用しなければならないことを示す情報を第１の電気通信デバイスへ転送するステップをさらに含む。
【００４４】
したがって、信号伝達は制限される。
【００４５】
一特定の特徴によれば、該方法は、第２の電気通信デバイスによって使用されるシフトパラメータの値を示す情報を第２の電気通信デバイスへ転送するステップをさらに含む。
【００４６】
一特定の特徴によれば、第１の電気通信デバイスに割り当てられた各副搬送波は、第２の電気通信デバイスに割り当てられ、第２の電気通信デバイスに割り当てられたが、第１の電気通信デバイスに割り当てられていない副搬送波は、第１の電気通信デバイス及び第２の電気通信デバイスの双方に割り当てられた副搬送波を取り囲む。
【００４７】
したがって、副搬送波割り当ては柔軟であり、電気通信デバイスへの多くの割り当ての組み合わせを可能にする。
【００４８】
一特定の特徴によれば、第１の電気通信デバイス及び第２の電気通信デバイスに割り当てられた副搬送波を表す情報は、第１の電気通信デバイス及び第２の電気通信デバイスへそれぞれ転送される。
【００４９】
一特定の特徴によれば、本発明は、基地局によって実行され、該基地局は、
第１の電気通信デバイスについて決定されたシフトパラメータを使用して、第１の電気通信デバイスに割り当てられた副搬送波へのシンボルのマッピングを解除し、
第２の電気通信デバイスについて決定されたシフトパラメータを使用して、第２の電気通信デバイスに割り当てられた副搬送波へのシンボルのマッピングを解除する。
【００５０】
一特定の特徴によれば、各電気通信デバイスは、その電気通信デバイスについて決定されたシフトパラメータを使用して、その電気通信デバイスに割り当てられた副搬送波にシンボルをマッピングする。
【００５１】
さらに別の態様によれば、本発明は、プログラマブルデバイス内に直接ロード可能とすることができるコンピュータプログラムであって、該コンピュータプログラムがプログラマブルデバイス上で実行されると本発明による方法のステップを実施するための命令又はコード部を含む、コンピュータプログラムに関する。
【００５２】
コンピュータプログラムに関連する特徴及び利点は、本発明による方法及び装置に関連して上記で述べたものと同じであるので、ここでは繰り返さないことにする。
【００５３】
本発明の特徴は、一例の実施形態の以下の説明を読むことによってより明らかになる。該説明は、添付図面を参照して作成されたものである。
【図面の簡単な説明】
【００５４】
【図１ａ】第１の移動局に割り当てられた副搬送波の個数が８に等しく、第１の移動局によって使用されるシフトパラメータが４に等しい、第１の移動局のシンボルマッピングの一例を表す。
【図１ｂ】第２の移動局に割り当てられた副搬送波の個数が１２に等しく、第２の移動局によって使用されるシフトパラメータが６に等しい、第２の移動局のシンボルマッピングの一例を表す。
【図１ｃ】機能障害の問題を有する、副搬送波への第１の移動局及び第２の移動局のシンボルのマッピングを表す。
【図２】本発明が実施される無線セルラー電気通信ネットワークを表す。
【図３】本発明が実施される基地局のアーキテクチャを表す図である。
【図４】本発明が実施される移動局のアーキテクチャを表す図である。
【図５】周波数領域における本発明の一特定の実施形態による移動局に含まれる符号化器のアーキテクチャを示す。
【図６】本発明の一特定の実施形態によるいくつかの受信アンテナを有する基地局の復号器のアーキテクチャを示す。
【図７ａ】本発明による基地局によって実行されるアルゴリズムの一例を開示する。
【図７ｂ】本発明による基地局によって実行されるアルゴリズムの一例を開示する。
【図８】本発明による副搬送波への第１の移動局及び第２の移動局のシンボルのマッピングの第１の例を表す。
【図９】本発明による副搬送波への移動局のシンボルのマッピングの第２の例を表す。
【図１０】本発明による副搬送波への第１の移動局及び第２の移動局のシンボルのマッピングの第３の例を表す。
【図１１】本発明の一変形による副搬送波への第１の移動局及び第２の移動局のシンボルのマッピングの第４の例を表す。
【図１２】本発明による各移動局によって実行されるアルゴリズムの一例を開示する。
【図１３】本発明による、基地局が複数の移動局からシンボルを受信するときに基地局によって実行されるアルゴリズムの一例を開示する。
【発明を実施するための形態】
【００５５】
図１はすでに開示されており、これ以上説明しないことにする。
【００５６】
図２は、本発明が実施される無線セルラー電気通信ネットワークを表す。
【００５７】
本発明は、電気通信システムが無線セルラー電気通信システムである一例において説明される。
【００５８】
本発明は、ローカルエリアネットワークのような無線又は有線電気通信システムにも適用可能である。
【００５９】
図２には、無線セルラー電気通信ネットワークの１つの基地局ＢＳと４つの移動局ＭＳ0、ＭＳ1、ＭＳ2、及びＭＳ3とが示されている。
【００６０】
基地局ＢＳは、複数の基地局を備える無線セルラー電気通信ネットワークの基地局である。
【００６１】
本発明によれば、基地局ＢＳは、その基地局ＢＳのセルに位置する各移動局ＭＳについて、各移動局ＭＳがデータを転送しなければならない際に介する周波数帯域を決定する。
【００６２】
より正確には、基地局ＢＳは、その基地局ＢＳが担当する各移動局ＭＳについて、その移動局ＭＳがデータをマッピングする副搬送波を決定する。
【００６３】
本発明によれば、重なり合う周波数帯域で移動局ＭＳによって同時に転送されたシンボルの基地局ＢＳによる復号を可能にするために、基地局ＢＳは、その基地局ＢＳが担当する各移動局ＭＳi（ｉ＝０〜３）について、その移動局が使用しなければならないシフトパラメータｐiを決定する。
【００６４】
本発明によれば、基地局ＢＳは、各移動局ＭＳへ、その移動局ＭＳに割り当てられた周波数帯域を表す情報を転送し、その移動局ＭＳについて決定されたシフトパラメータを表す情報を転送することができる。
【００６５】
本発明によれば、各移動局ＭＳは、その移動局ＭＳについて基地局ＢＳによって決定されたシフトパラメータに従って、その移動局ＭＳに割り当てられた副搬送波にデータをマッピングする。
【００６６】
図３は、本発明が実施される基地局のアーキテクチャを表す図である。
【００６７】
基地局ＢＳは、例えば、バス３０１によって互いに接続されたコンポーネントと、図７及び図１３に開示するようなプログラムによって制御されるプロセッサ３００とからなるアーキテクチャを有する。
【００６８】
ここで、基地局ＢＳは、専用集積回路からなるアーキテクチャを有することができることに留意しなければならない。
【００６９】
バス３０１は、プロセッサ３００を、読み出し専用メモリＲＯＭ３０２、ランダムアクセスメモリＲＡＭ３０３、無線インタフェース３０５、及びネットワークインタフェース３０６にリンクする。
【００７０】
メモリ３０３は、変数と、図７及び図１３に開示するようなアルゴリズムに関連したプログラムの命令とを収容するように意図されたレジスタを含む。
【００７１】
メモリ３０３は、移動局に割り当てるための所定の周波数帯域及び対応するシフトパラメータを含むことができる。
【００７２】
プロセッサ３００は、ネットワークインタフェース３０６の動作及び無線インタフェース３０５の動作を制御する。
【００７３】
読み出し専用メモリ３０２は、図７及び図１３に開示するようなアルゴリズムに関連したプログラムの命令を含む。これらの命令は、基地局ＢＳに電源が投入されると、ランダムアクセスメモリ３０３へ転送される。
【００７４】
基地局ＢＳは、ネットワークインタフェース３０６を介して電気通信ネットワークに接続することができる。例えば、ネットワークインタフェース３０６は、ＤＳＬ（デジタル加入者線）モデム又はＩＳＤＮ（サービス統合デジタル網）インタフェース等である。
【００７５】
無線インタフェース３０５は、各移動局ＭＳに割り当てられた周波数帯域又は副搬送波を表す情報と、移動局ＭＳについて決定され、割り当てられた副搬送波にシンボルをマッピングするために移動局ＭＳによって使用されるシフトパラメータを表す情報とを転送する手段を備える。
【００７６】
無線インタフェース３０５は、図６に開示されているような復号器又は特許文献１に基づいて公開された特許出願に開示されているような復号器を備える。
【００７７】
図４は、本発明が実施される移動局のアーキテクチャを表す図である。
【００７８】
移動局ＭＳは、例えば、バス４０１によって互いに接続されたコンポーネントと、図１２に開示するようなプログラムによって制御されるプロセッサ４００とからなるアーキテクチャを有する。
【００７９】
ここで、移動局ＭＳは、専用集積回路からなるアーキテクチャを有することができることに留意しなければならない。
【００８０】
バス４０１は、プロセッサ４００を、読み出し専用メモリＲＯＭ４０２、ランダムアクセスメモリＲＡＭ４０３、及び無線インタフェース４０５にリンクする。
【００８１】
メモリ４０３は、変数と、図１２に開示するようなアルゴリズムに関連したプログラムの命令とを収容するように意図されたレジスタを含む。
【００８２】
プロセッサ４００は、無線インタフェース４０５の動作を制御する。
【００８３】
読み出し専用メモリ４０２は、図１２に開示するようなアルゴリズムに関連したプログラムの命令を含む。これらの命令は、移動局ＭＳに電源が投入されると、ランダムアクセスメモリ４０３へ転送される。
【００８４】
無線インタフェース４０５は、移動局ＭＳについて決定されたシフトパラメータに従って移動局ＭＳに割り当てられた周波数に含まれる副搬送波にデータをマッピングする手段を備える。
【００８５】
無線インタフェース４０５は、図５に開示されているような符号化器又は特許文献１に基づいて公開された特許出願に開示されているような符号化器を備える。
【００８６】
図５は、周波数領域における本発明の一特定の実施形態による移動局に含まれる符号化器のアーキテクチャを示す。
【００８７】
送信されるデータは、シンボルのセットｘnを与える符号化／変調モジュール５０によって、符号化されるとともにシンボルとして編成される。次に、信号は、ＤＦＴ（離散フーリエ変換）モジュール５１によって周波数領域において拡散される。一変形では、ＤＦＴモジュールは、高速フーリエ変換モジュール又は他の任意の処理モジュールと取り替えられる。
【００８８】
ＯＦＤＭＡの場合、ＤＦＴモジュールは必要とされない場合がある。
【００８９】
周波数領域において拡散されたシンボルは、転送されるデータを副搬送波にマッピングする周波数マッピングモジュール５２によって、割り当てられた周波数帯域に含まれる副搬送波にマッピングされる。周波数マッピングモジュール５２は、ゼロ挿入機能及び／又は周波数整形機能(frequency shaping capabilities)を備えることができる。周波数マッピングモジュール５２によって出力されるシンボルＸｋは、ＩＤＦＴ（逆離散フーリエ変換）モジュール５３によって時間領域に再び変換される。
【００９０】
例えば移動局ＭＳ1のアンテナＡｎｔ１１といった第１のアンテナを介した送信前に、オプションのサイクリックプレフィックス挿入モジュール５４(cyclic prefix insertion module 54)を適用することができる。
【００９１】
例えば移動局ＭＳ1のアンテナＡｎｔ１２といった第２のアンテナには、移動局ＭＳ1について決定されたシフトパラメータｐ1に従って空間周波数ブロック符号計算モジュール５５によって計算されたデータが供給され、ＩＤＦＴモジュール５３及びサイクリックプレフィックス挿入モジュール５４のようなＩＤＦＴモジュール５６及びオプションのサイクリックプレフィックス挿入モジュール５７を有する新しいブランチがもたらされる。
【００９２】
図６は、本発明の一特定の実施形態によるいくつかの受信アンテナを有する基地局の復号器のアーキテクチャを示す。
【００９３】
いくつかの信号６７が、受信アンテナから受信される。同期モジュール６０は、これらのすべての受信信号６７を同期させる。
【００９４】
オプションのサイクリックプレフィックス除去モジュール６１1〜６１Lは、サイクリックプレフィックスが使用されている場合に、同期されたすべての信号に対して並列にサイクリックプレフィックスを除去する。
【００９５】
ＤＦＴモジュール６２1〜６２Lは、同期された信号に対してＤＦＴを実行する。この同期された信号は、サイクリックプレフィックスが除去されている信号又は除去されていない信号である。一変形では、ＤＦＴモジュールは、高速フーリエ変換モジュール又は他の任意の処理モジュールと取り替えられる。
【００９６】
ＯＦＤＭＡの場合、ＤＦＴモジュールは必要とされない場合がある。
【００９７】
チャネル推定６３1〜６３LのＬ個のモジュール（場合によっては１つの複雑なモジュール）は、Ｌ個の信号に作用し、それらの信号を１つの復号器モジュール６４に供給する。復号器モジュール６４は、副搬送波対を連続的に処理するＬ×２×２の基本空間周波数ブロック復号器を備える。従来のチャネル復号モジュール６６の前にある逆ＤＦＴモジュール６５は、結果の信号を取り扱う。
【００９８】
図７ａ及び図７ｂは、本発明による基地局によって実行されるアルゴリズムの一例を開示する。
【００９９】
より正確には、本アルゴリズムは、基地局ＢＳのプロセッサ３００によって実行される。
【０１００】
本アルゴリズムは、副搬送波を移動局ＭＳに割り当てなければならないごとに実行される。
【０１０１】
ステップＳ７００において、プロセッサ３００は、変数ｉをヌル値に設定する。変数ｉは、本アルゴリズムがどの移動局ＭＳiについて実行されているのかを示すインデックスである。
【０１０２】
次のステップＳ７０１において、プロセッサ３００は、変数ｋａ０をヌル値に設定する。
【０１０３】
次のステップＳ７０２において、プロセッサ３００は、変数ｋｂ０の値をヌル値以上の値になるように選択する。
【０１０４】
例えば、変数ｋｂ０の値は、ヌル値に等しくなるように選択される。
【０１０５】
次のステップＳ７０３において、プロセッサ３００は、変数ｋａを値ｋａ０に設定し、変数ｋｂを変数ｋａ０とｋｂ０との合計に設定する。
【０１０６】
次のステップＳ７０４において、プロセッサ３００は、変数ｉが、基地局ＢＳが担当する移動局ＭＳの個数Ｍａｘ−ｕｓｅｒｓ（Max-users：最大ユーザ）よりも小さいか否かをチェックする。
【０１０７】
図２の例によれば、Ｍａｘ−ｕｓｅｒｓは４に等しい。
【０１０８】
変数ｉが、基地局ＢＳは担当又はハンドリングする移動局ＭＳの個数Ｍａｘ−ｕｓｅｒｓよりも小さい場合、プロセッサ３００はステップＳ７０５へ移動する。そうでない場合、プロセッサ３００はステップＳ７８０へ移動する。
【０１０９】
ステップＳ７０５において、プロセッサ３００は、移動局ＭＳiを選択し、移動局ＭＳiに割り当てられる副搬送波の偶数の個数Ｍiを決定する。
【０１１０】
例えば、プロセッサ３００は、８つの副搬送波が移動局ＭＳ0に割り当てられることを決定する。
【０１１１】
次のステップＳ７０６において、プロセッサ３００は、ｋａがｋｂよりも厳密に小さいか否かをチェックする。
【０１１２】
ｋａがｋｂよりも厳密に小さい場合、プロセッサ３００は、図７ｂのアルゴリズムのステップＳ７５０へ移動する。
【０１１３】
ｋａがｋｂよりも厳密に小さくない場合、プロセッサ３００はステップＳ７１０へ移動する。
【０１１４】
ステップＳ７１０において、プロセッサ３００は、ｋａがｋｂに等しいか否かをチェックする。
【０１１５】
ｋａがｋｂに等しい場合、プロセッサ３００はステップＳ７２０へ移動する。そうでない場合、プロセッサ３００はステップＳ７１１へ移動する。
【０１１６】
ｋａ＝ｋｂ＝０であるので、プロセッサ３００はステップＳ７２０へ移動する。
【０１１７】
ステップＳ７２０において、プロセッサ３００は、移動局ＭＳi+1を選択し、移動局ＭＳi+1に割り当てられる副搬送波の偶数の個数Ｍi+1を決定する。
【０１１８】
例えば、プロセッサ３００は、１２個の副搬送波が移動局ＭＳ1に割り当てられることを決定する。
【０１１９】
次のステップＳ７２１において、プロセッサ３００は、ＭiがＭi+1に等しいか否かをチェックする。
【０１２０】
ＭiがＭi+1に等しい場合、プロセッサ３００はステップＳ７２５へ移動する。そうでない場合、プロセッサはステップＳ７２２へ移動する。
【０１２１】
ステップＳ７２５において、プロセッサ３００は、変数Ｓｃi及びＳｃi+1の値をｋａの値に設定し、移動局ＭＳi及びＭＳi+1によって使用されるシフトパラメータｐi及びｐi+1を、０とＭi−１との間に含まれる任意の偶数値に設定する。
【０１２２】
変数Ｓｃi及びＳｃi+1は、移動局ＭＳi及びＭＳi+1に割り当てられた第１の副搬送波のインデックスである。
【０１２３】
次のステップＳ７２６において、プロセッサ３００は、変数ｋａをｋａとＭiとの合計に設定し、変数ｉを２つインクリメントする。
【０１２４】
その後、プロセッサ３００は、図７ａのステップＳ７１４へ移動する。
【０１２５】
Ｍ0はＭ1と異なるので、プロセッサ３００はステップＳ７２１からＳ７２２へ移動する。
【０１２６】
ステップＳ７２２において、プロセッサ３００は、ＭiがＭi+1よりも厳密に大きくなるように、必要に応じて、移動局ＭＳi及びＭＳi+1をリネームする。
【０１２７】
Ｍ0は８に等しく、Ｍ1は１２に等しいので、移動局ＭＳ0はＭＳ1としてリネームされ、移動局ＭＳ1はＭＳ0としてリネームされ、Ｍ0の値とＭ1の値とが交換される。
【０１２８】
次のステップＳ７２３において、プロセッサ３００は、変数Ｓｃi及びＳｃi+1の値をｋａの値に設定し、移動局ＭＳiによって使用されるシフトパラメータｐiをＭi+1に設定し、移動局ＭＳi+1によって使用されるシフトパラメータｐi+1をヌル値に設定する。
【０１２９】
上述した例によれば、Ｓｃ0及びＳｃ1はヌル値に設定される。すなわち、０で示す副搬送波は、移動局ＭＳ0及びＭＳ1に割り当てられた第１の副搬送波である。移動局ＭＳ0によって使用されるシフトパラメータｐ0は８に設定され、移動局ＭＳ1によって使用されるシフトパラメータｐ1はヌル値に設定される。このような割り当ては図８に開示されている。
【０１３０】
シフトパラメータｐ0は偶数であり、少なくとも、移動局ＭＳ1に割り当てられた副搬送波の個数に等しい。
【０１３１】
シフトパラメータｐ1は、シフトパラメータｐ0と異なる場合がある。
【０１３２】
図８は、本発明による副搬送波への第１の移動局及び第２の移動局のシンボルのマッピングの第１の例を表す。
【０１３３】
移動局ＭＳ0に割り当てられた周波数帯域は、０〜１１で示す副搬送波を含む。移動局ＭＳ1に割り当てられた周波数帯域は、０〜７で示す副搬送波を含む。
【０１３４】
移動局ＭＳ0は、０〜１１で示す副搬送波でシンボルを転送する。０〜１１で示す副搬送波は、図５の周波数マッピングモジュール５２の入力における副搬送波である。周波数マッピングモジュール５２によれば、これらの副搬送波は、周波数マッピングモジュール５２の出力において提供される副搬送波とは異なる場合があり、したがって、図５のＩＤＦＴモジュール５３及び５６の入力において提供される副搬送波とは異なる場合がある。
【０１３５】
移動局ＭＳ1は、０〜７で示す副搬送波でシンボルを転送する。０〜７で示す副搬送波は、図５の周波数マッピングモジュール５２の入力における副搬送波である。周波数マッピングモジュール５２によれば、これらの副搬送波は、周波数マッピングモジュール５２の出力において提供される副搬送波とは異なる場合があり、したがって、図５のＩＤＦＴモジュール５３及び５６の入力において提供される副搬送波とは異なる場合がある。
【０１３６】
第１の移動局ＭＳ0及び第２の移動局ＭＳ1が自身に割り当てられた周波数帯域でデータを同時に送信するとき、機能障害の問題はない。
【０１３７】
ライン８００は、データ対（Ｘ０，−Ｘ７*）及び（Ｙ０，−Ｙ７*）がマッピングされる副搬送波０を含む。ライン８０７は、データ対（Ｘ７，Ｘ０*）及び（Ｙ７，Ｙ０*）がマッピングされる副搬送波７を含む。副搬送波０及び７について機能障害は存在しない。
【０１３８】
ライン８０１は、データ対（Ｘ１，Ｘ６*）及び（Ｙ１，Ｙ６*）がマッピングされる副搬送波１を含む。ライン８０６は、データ対（Ｘ６，−Ｘ１*）及び（Ｙ６，−Ｙ１*）がマッピングされる副搬送波６を含む。副搬送波１及び６について機能障害は存在しない。
【０１３９】
ライン８０２は、データ対（Ｘ２，−Ｘ５*）及び（Ｙ２，−Ｙ５*）がマッピングされる副搬送波２を含む。ライン８０５は、データ対（Ｘ５，Ｘ２*）及び（Ｙ５，Ｙ２*）がマッピングされる副搬送波５を含む。副搬送波２及び５について機能障害は存在しない。
【０１４０】
ライン８０３は、データ対（Ｘ３，Ｘ４*）及び（Ｙ３，Ｙ４*）がマッピングされる副搬送波３を含む。ライン８０４は、データ対（Ｘ４，−Ｘ３*）及び（Ｙ４，−Ｙ３*）がマッピングされる副搬送波４を含む。副搬送波３及び４について機能障害は存在しない。
【０１４１】
ライン８０８は、データ対（Ｙ８，−Ｙ１１*）がマッピングされる副搬送波８を含む。ライン８１１は、データ対（Ｙ１１，Ｙ８*）がマッピングされる副搬送波１１を含む。副搬送波８及び１１について機能障害は存在しない。
【０１４２】
ライン８０９は、データ対（Ｙ９，Ｙ１０*）がマッピングされる副搬送波９を含む。ライン８１０は、データ対（Ｙ１０，−Ｙ９*）がマッピングされる副搬送波１０を含む。副搬送波９及び１０について機能障害は存在しない。
【０１４３】
移動局ＭＳ1は、該移動局ＭＳ1に割り当てられた周波数帯域の副搬送波で、８個に等しいＭ1個のシンボルを転送する２つの送信アンテナを備える。シンボルＸ０〜Ｘ７は、第１のアンテナを介して送信される。シンボルＸ０〜Ｘ７は、ｋ＝０〜Ｍ1−１及びｐ1＝０についての次の式に従って、すなわち
【０１４４】
【数８】
2010154528.tif 000010
【０１４５】
によって変更され、第２のアンテナで放射される信号が、第１のアンテナで放射される信号Ｘから与えられる。
【０１４６】
ライン８００及び８０７は、同じシンボルＸ０及びＸ７に関連した情報を搬送するのでリンクされる。ライン８０１及び８０６は、同じシンボルＸ１及びＸ６に関連した情報を搬送するのでリンクされる。ライン８０２及び８０５は、同じシンボルＸ２及びＸ５に関連した情報を搬送するのでリンクされる。ライン８０３及び８０４は、同じシンボルＸ３及びＸ４に関連した情報を搬送するのでリンクされる。
【０１４７】
第２の移動局ＭＳ0は、該移動局ＭＳ0に割り当てられた周波数帯域の副搬送波で、１２個に等しいＭ0個のシンボルを転送する２つの送信アンテナを備える。シンボルＹ０〜Ｙ１１は、第１のアンテナを介して送信される。シンボルＹ０〜Ｙ１１は、ｋ＝０〜Ｍ0−１及びｐ0＝８についての次の式に従って、すなわち
【０１４８】
【数９】
2010154528.tif 000011
【０１４９】
によって変更され、第２のアンテナで放射される信号が、第１のアンテナで放射される信号Ｙから与えられる。
【０１５０】
ライン８００は、副搬送波０で送信される対（Ｙ０，−Ｙ７*）を示す。ライン８０７は、副搬送波７で送信される対（Ｙ７，Ｙ０*）を示す。ライン８００及び８０７は、同じシンボルに関連した情報を搬送するのでリンクされる。
【０１５１】
ライン８０１及び８０６は、同じシンボルＹ１及びＹ６に関連した情報を搬送するのでリンクされる。ライン８０２及び８０５は、同じシンボルＹ２及びＹ５に関連した情報を搬送するのでリンクされる。ライン８０３及び８０４は、同じシンボルＹ３及びＹ４に関連した情報を搬送するのでリンクされる。ライン８０８及び８１１は、同じシンボルＹ８及びＹ１１に関連した情報を搬送するのでリンクされる。ライン８０９及び８１０は、同じシンボルＹ９及びＹ１０に関連した情報を搬送するのでリンクされる。
【０１５２】
図７ａのアルゴリズムの次のステップＳ７２４において、プロセッサ３００は、ｋａの値をｋａとＭiとの合計に設定し、ｋｂの値をｋｂとＭi+1との合計に設定し、変数ｉを２つインクリメントする。
【０１５３】
変数ｋａは、その結果、１２に等しくなり、変数ｋｂは、その結果、８に等しくなる。
【０１５４】
その後、プロセッサ３００はステップＳ７０４へ戻る。
【０１５５】
ステップＳ７０４において、プロセッサ３００は、変数ｉが、基地局ＢＳが担当する移動局ＭＳの個数Ｍａｘ−ｕｓｅｒｓよりも小さいか否かをチェックする。
【０１５６】
図８の例によれば、Ｍａｘ−ｕｓｅｒｓは２に等しく、プロセッサ３００はステップＳ７８０へ移動する。
【０１５７】
図２の例によれば、Ｍａｘ−ｕｓｅｒｓは４に等しい。
【０１５８】
ステップＳ７０５において、プロセッサ３００は、移動局ＭＳiを選択し、移動局ＭＳiに割り当てられる副搬送波の個数Ｍiを決定する。
【０１５９】
例えば、プロセッサ３００は、８つの副搬送波が移動局ＭＳ2に割り当てられることを決定する。
【０１６０】
次のステップＳ７０６において、プロセッサ３００は、ｋａがｋｂよりも厳密に小さいか否かをチェックする。
【０１６１】
ｋａがｋｂよりも厳密に小さい場合、プロセッサ３００は、図７ｂのアルゴリズムのステップＳ７５０へ移動する。
【０１６２】
ｋａがｋｂよりも厳密に小さくない場合、プロセッサ３００はステップＳ７１０へ移動する。
【０１６３】
ｋａは１２に等しく、ｋｂは８に等しいので、プロセッサ３００はステップＳ７１０へ移動する。
【０１６４】
ステップＳ７１０において、プロセッサ３００は、ｋａがｋｂに等しいか否かをチェックする。
【０１６５】
ｋａがｋｂに等しい場合、プロセッサ３００はステップＳ７２０へ移動する。そうでない場合、プロセッサ３００はステップＳ７１１へ移動する。
【０１６６】
ｋａは１２に等しく、ｋｂは８に等しいので、プロセッサ３００はステップＳ７１１へ移動する。
【０１６７】
ステップＳ７１１において、プロセッサ３００は、Ｍiが、ｋａからｋｂを引いたものよりも厳密に大きいか否かをチェックする。
【０１６８】
Ｍiが、ｋａからｋｂを引いたものよりも厳密に大きい場合、プロセッサ３００はステップＳ７１５へ移動する。そうでない場合、プロセッサ３００はステップＳ７１２へ移動する。
【０１６９】
ステップＳ７１２において、プロセッサ３００は、以下の式、すなわち
Ｓｃi＝ｋｂ＋（ｋａ−ｋｂ−Ｍi）／２
に従って新しい変数Ｓｃiを計算する。
【０１７０】
同じステップにおいて、プロセッサ３００は、変数ｐiをヌル値に設定する。
【０１７１】
次のステップＳ７１３において、プロセッサ３００は、変数ｉを１つインクリメントする。
【０１７２】
次のステップＳ７１４において、プロセッサ３００は、変数ｋａ０を、変数ｋａ及びｋｂの中の最大値の値に設定する。
【０１７３】
このような操作は、変数ｋａ及びｋｂの中の最大値に等しい周波数帯域及び副搬送波をカットすることと等価である。
【０１７４】
その後、プロセッサ３００はステップＳ７０２へ戻る。
【０１７５】
Ｍ2は８に等しく、ｋａからｋｂを引いたものは４に等しいので、プロセッサ３００はステップＳ７１５へ移動する。
【０１７６】
ステップＳ７１５において、プロセッサ３００は、変数Ｓｃiを変数ｋｂの値に設定する。同じステップにおいて、プロセッサ３００は、変数ｐiをｋａからｋｂを引いたものに設定する。
【０１７７】
次のステップＳ７１６において、プロセッサは、変数ｋｂをｋａとＭiとの合計に設定する。同じステップにおいて、プロセッサ３００は、変数ｉを１つインクリメントする。
【０１７８】
図９の例によれば、Ｓｃ2は８に設定される。すなわち、８で示す副搬送波が、移動局ＭＳ2に割り当てられた第１の副搬送波である。移動局ＭＳ2によって使用されるシフトパラメータｐ2は４に設定され、ｋｂは１６に設定され、ｉ＝３である。このような割り当ては図９に開示されている。
【０１７９】
図９は、本発明による副搬送波への移動局のシンボルのマッピングの第２の例を表す。
【０１８０】
ライン９００〜９０７は、ライン８００〜８０７と同一である。
【０１８１】
移動局ＭＳ2に割り当てられた周波数帯域は、８〜１５で示す副搬送波を含む。移動局ＭＳ0に割り当てられた周波数帯域は、０〜１１で示す副搬送波を含む。
【０１８２】
移動局ＭＳ0は、０〜１１で示す副搬送波でシンボルを転送する。０〜１１で示す副搬送波は、図５の周波数マッピングモジュール５２の入力における副搬送波である。周波数マッピングモジュール５２によれば、これらの副搬送波は、周波数マッピングモジュール５２の出力において提供される副搬送波とは異なる場合があり、したがって、図５のＩＤＦＴモジュール５３及び５６の入力において提供される副搬送波とは異なる場合がある。
【０１８３】
移動局ＭＳ2は、８〜１５で示す副搬送波でシンボルを転送する。８〜１５で示す副搬送波は、図５の周波数マッピングモジュール５２の入力における副搬送波である。周波数マッピングモジュール５２によれば、これらの副搬送波は、周波数マッピングモジュール５２の出力において提供される副搬送波とは異なる場合があり、したがって、図５のＩＤＦＴモジュール５３及び５６の入力において提供される副搬送波とは異なる場合がある。
【０１８４】
移動局ＭＳ0、移動局ＭＳ1及び移動局ＭＳ2が自身に割り当てられた周波数帯域でデータを同時に送信するとき、機能障害の問題はない。
【０１８５】
ライン９０８は、データ対（Ｚ０，−Ｚ３*）及び（Ｙ８，−Ｙ１１*）がマッピングされる副搬送波８を含む。ライン９１１は、データ対（Ｚ３，Ｘ０*）及び（Ｙ１１，Ｙ８*）がマッピングされる副搬送波１１を含む。副搬送波８及び１１について機能障害は存在しない。
【０１８６】
ライン９０９は、データ対（Ｚ１，Ｚ２*）及び（Ｙ９，Ｙ１０*）がマッピングされる副搬送波９を含む。ライン９１０は、データ対（Ｚ２，−Ｚ１*）及び（Ｙ１０，−Ｙ９*）がマッピングされる副搬送波１０を含む。副搬送波９及び１０について機能障害は存在しない。
【０１８７】
ライン９１２は、データ対（Ｚ４，−Ｚ７*）がマッピングされる副搬送波１２を含む。ライン９１５は、データ対（Ｚ７，Ｚ４*）がマッピングされる副搬送波１５を含む。副搬送波１２及び１５について機能障害は存在しない。
【０１８８】
ライン９１３は、データ対（Ｚ５，Ｚ６*）がマッピングされる副搬送波１３を含む。ライン９１４は、データ対（Ｚ６，−Ｚ５*）がマッピングされる副搬送波１４を含む。副搬送波１３及び１４について機能障害は存在しない。
【０１８９】
移動局ＭＳ2は、該移動局ＭＳ2に割り当てられた周波数帯域の副搬送波で、８個に等しいＭ2個のシンボルを転送する２つの送信アンテナを備える。シンボルＺ０〜Ｚ７は、第１のアンテナを介して送信される。シンボルＺ０〜Ｚ７は、ｋ＝０〜Ｍ2−１及びｐ2＝４についての次の式に従って、すなわち
【０１９０】
【数１０】
2010154528.tif 000012
【０１９１】
によって変更され、第２のアンテナで放射される信号が、第１のアンテナで放射される信号Ｚから与えられる。
【０１９２】
ステップＳ７１６が実行されると、プロセッサ３００はステップＳ７０４へ戻る。
【０１９３】
ステップＳ７０４において、プロセッサ３００は、変数ｉが、基地局ＢＳが担当する移動局ＭＳの個数Ｍａｘ−ｕｓｅｒｓよりも小さいか否かをチェックする。
【０１９４】
図２の例によれば、Ｍａｘ−ｕｓｅｒｓは４に等しい。
【０１９５】
ステップＳ７０５において、プロセッサ３００は、移動局ＭＳiを選択し、移動局ＭＳiに割り当てられる副搬送波の個数Ｍiを決定する。
【０１９６】
例えば、プロセッサ３００は、４つの副搬送波が移動局ＭＳ3に割り当てられることを決定する。
【０１９７】
次のステップＳ７０６において、プロセッサ３００は、ｋａがｋｂよりも厳密に小さいか否かをチェックする。
【０１９８】
ｋａがｋｂよりも厳密に小さい場合、プロセッサ３００は、図７ｂのアルゴリズムのステップＳ７５０へ移動する。
【０１９９】
ｋａがｋｂよりも厳密に小さくない場合、プロセッサ３００はステップＳ７１０へ移動する。
【０２００】
ｋａは１２に等しく、ｋｂは１６に等しいので、プロセッサ３００はステップＳ７５０へ移動する。
【０２０１】
ステップＳ７５０において、プロセッサ３００は、ｋａがｋａ０に等しいか否かをチェックする。
【０２０２】
ｋａがｋａ０に等しい場合、プロセッサ３００はステップＳ７５６へ移動する。そうでない場合、プロセッサ３００はステップＳ７５１へ移動する。
【０２０３】
ｋａは１２に等しいので、プロセッサ３００はステップＳ７５１へ移動する。
【０２０４】
ステップＳ７５１において、プロセッサ３００は、Ｍiが、ｋｂからｋａを引いたものよりも厳密に大きいか否かをチェックする。
【０２０５】
Ｍiが、ｋｂからｋａを引いたものよりも厳密に大きい場合、プロセッサ３００はステップＳ７５４へ移動する。そうでない場合、プロセッサ３００はステップＳ７５２へ移動する。
【０２０６】
ステップＳ７５４において、プロセッサ３００は、変数Ｓｃiを変数ｋａの値に設定する。同じステップにおいて、プロセッサ３００は、変数ｐiをｋｂからｋａを引いたものに設定する。
【０２０７】
次のステップＳ７５５において、プロセッサは、変数ｋｂをｋｂとＭiとの合計に設定する。同じステップにおいて、プロセッサ３００は、変数ｉを１つインクリメントする。
【０２０８】
その後、プロセッサ３００はステップＳ７０４へ戻る。
【０２０９】
Ｍ3は４に等しく、ｋａからｋｂを引いたものは４に等しいので、プロセッサ３００はステップＳ７５１からステップＳ７５２へ移動する。
【０２１０】
ステップＳ７５２において、プロセッサ３００は、以下の式、すなわち
Ｓｃi＝ｋａ＋（ｋｂ−ｋａ−Ｍi）／２
に従って新しい変数Ｓｃiを計算する。
【０２１１】
同じステップにおいて、プロセッサ３００は、変数ｐiをヌル値に設定する。
【０２１２】
図９の例によれば、Ｓｃ3は１２に設定される。すなわち、１２で示す副搬送波が、移動局ＭＳ3に割り当てられた第１の副搬送波である。移動局ＭＳ3によって使用されるシフトパラメータｐ3はヌルに設定される。
【０２１３】
次のステップＳ７５３において、プロセッサ３００は、変数ｉを１つインクリメントする。
【０２１４】
移動局ＭＳ3に割り当てられた周波数帯域は、１２〜１５で示す副搬送波を含む。移動局ＭＳ2に割り当てられた周波数帯域は、８〜１５で示す副搬送波を含む。
【０２１５】
移動局ＭＳ0、移動局ＭＳ1、移動局ＭＳ2及び移動局ＭＳ3が自身に割り当てられた周波数帯域でデータを同時に送信するとき、機能障害の問題はない。
【０２１６】
ライン９１２は、データ対（Ｚ４，−Ｚ７*）及び（Ｔ０，−Ｔ３*）がマッピングされる副搬送波１２を含む。ライン９１５は、データ対（Ｚ７，Ｚ４*）及び（Ｔ３，Ｔ０*）がマッピングされる副搬送波１５を含む。副搬送波１２及び１５について機能障害は存在しない。
【０２１７】
ライン９１３は、データ対（Ｚ５，Ｚ６*）及び（Ｔ１，Ｔ２*）がマッピングされる副搬送波１３を含む。ライン９１４は、データ対（Ｚ６，−Ｚ５*）及び（Ｔ２，−Ｔ１*）がマッピングされる副搬送波１４を含む。副搬送波１３及び１４について機能障害は存在しない。
【０２１８】
移動局ＭＳ3は、該移動局ＭＳ3に割り当てられた周波数帯域の副搬送波で、４個に等しいＭ3個のシンボルを転送する２つの送信アンテナを備える。シンボルＴ０〜Ｔ３は、第１のアンテナを介して送信される。シンボルＴ０〜Ｔ３は、ｋ＝０〜Ｍ3−１及びｐ3＝０についての次の式に従って、すなわち
【０２１９】
【数１１】
2010154528.tif 000013
【０２２０】
によって変更され、第２のアンテナで放射される信号が、第１のアンテナで放射される信号Ｔから与えられる。
【０２２１】
その後、プロセッサ３００は、ステップＳ７１４へ戻り、そして、ステップＳ７０２へ戻る。
【０２２２】
プロセッサ３００は、ステップＳ７０２〜Ｓ７０４を実行し、ステップＳ７８０へ移動する。
【０２２３】
次のステップＳ７８０において、プロセッサ３００は、各移動局ＭＳへの、その移動局ＭＳに割り当てられた副搬送波を表す情報の転送を指令する。
【０２２４】
次のステップＳ７８１において、プロセッサ３００は、少なくとも１つの移動局ＭＳへの、その移動局ＭＳについて決定された決定済みシフトパラメータｐを表す情報の転送を指令する。
【０２２５】
或る移動局ＭＳに割り当てられた各副搬送波が、別の移動局ＭＳにも割り当てられており、且つ該或る移動局に割り当てられた副搬送波の個数が、該別の移動局ＭＳに割り当てられた副搬送波の個数の２分の１である場合、該或る移動局に割り当てられた副搬送波の個数の２分の１に等しい非ヌルのシフトパラメータを該別の移動局ＭＳが使用しなければならないことを示す、１に等しいビット値のような単一の情報が、該別の移動局へ転送される。
【０２２６】
例えば、移動局ＭＳ1に割り当てられた副搬送波の個数の２分の１に等しい非ヌルのシフトパラメータを移動局ＭＳ0が使用しなければならないことを示す、１に等しいビット値が、移動局ＭＳ0へ転送される。
【０２２７】
一変形では、移動局ＭＳがヌル値のシフトパラメータを使用しなければならないことを示す、０に等しいビット値のような単一の情報が、その移動局へ転送される。
【０２２８】
例えば、移動局ＭＳ1が非ヌルのシフトパラメータを使用しなければならないことを示す、ヌルに等しいビット値が、移動局ＭＳ1へ転送される。
【０２２９】
或る移動局ＭＳに割り当てられた各副搬送波が別の移動局ＭＳにも割り当てられ、且つ該或る移動局に割り当てられた副搬送波の個数が該別の移動局ＭＳに割り当てられた副搬送波の個数よりも少ない場合、該別の移動局によって使用されるシフトパラメータの値を示す単一の情報が、該別の移動局へ転送される。
【０２３０】
その後、プロセッサ３００は本アルゴリズムを中断する。
【０２３１】
２つの移動局ＭＳ0及びＭＳ1が基地局ＢＳによってハンドリングされ、ｋｂ０がステップＳ７０２において２に等しくなるように選択される別の例を考えた場合、ステップ７０４において、ｋａはヌル値に等しく、ｋｂは２に等しくなる。
【０２３２】
プロセッサ３００は、ステップＳ７０５において、移動局ＭＳ0を選択し、例えばＭ0を８に等しいものとして決定する。
【０２３３】
ｋａはｋｂよりも小さいので、プロセッサ３００は、ステップＳ７０６からステップＳ７５０へ移動する。
【０２３４】
ステップＳ７５０において、プロセッサ３００は、ｋａがｋａ０に等しいか否かをチェックする。
【０２３５】
ｋａがｋａ０に等しい場合、プロセッサ３００はステップＳ７５６へ移動する。そうでない場合、プロセッサ３００はステップＳ７５１へ移動する。
【０２３６】
ｋａはヌル値に等しく、ｋｂは２に等しいので、プロセッサ３００はステップＳ７５６へ移動する。
【０２３７】
ステップＳ７５６において、プロセッサ３００は、移動局ＭＳi+1を選択し、移動局ＭＳi+1に割り当てられる副搬送波の個数Ｍiを決定する。
【０２３８】
例えば、プロセッサ３００は、８つの副搬送波が移動局ＭＳ1に割り当てられることを決定する。
【０２３９】
次のステップＳ７５７において、プロセッサ３００は、ＭiがｋｂとＭi+1との合計よりも小さいか否かをチェックする。
【０２４０】
ＭiがｋｂとＭi+1との合計よりも小さい場合、プロセッサ３００はステップＳ７６１へ移動する。そうでない場合、プロセッサ３００はステップＳ７５８へ移動する。
【０２４１】
ステップＳ７５８において、プロセッサ３００は、変数Ｓｃiの値をｋａの値に設定し、Ｓｃi+1をｋｂの値に設定し、シフトパラメータｐiをｐi＝２（ｋｂ−ｋａ）＋Ｍi+1に等しくなるように設定し、ｐi+1をヌル値に設定する。
【０２４２】
次のステップＳ７５９において、プロセッサ３００は、ｐiがＭi以上であるか否かをチェックする。
【０２４３】
ｐiがＭi以上である場合、プロセッサ３００はステップＳ７７０へ移動する。そうでない場合、プロセッサ３００はステップＳ７７１へ移動する。
【０２４４】
ステップＳ７７０において、プロセッサ３００は、変数ｋａ及びｋｂをＭiに設定し、ｐiをｐiモジュロＭiに設定し、変数ｉを２つインクリメントする。
【０２４５】
その後、プロセッサ３００はステップＳ７６０へ移動する。
【０２４６】
ステップＳ７７１において、プロセッサ３００は、変数ｋｂをｋａとｐiとの合計に設定し、変数ｋａをｋａとＭiとの合計に設定し、変数ｉを２つインクリメントする。
【０２４７】
その後、プロセッサ３００はステップＳ７６０へ移動する。
【０２４８】
ステップＳ７６０において、プロセッサ３００は、ｋａがｋｂに等しいか否かをチェックする。
【０２４９】
ｋａがｋｂに等しい場合、プロセッサ３００はステップＳ７１４へ移動する。そうでない場合、プロセッサ３００はステップＳ７０４へ移動する。
【０２５０】
Ｍ0はｋｂとＭ1との合計よりも小さいので、プロセッサ３００はステップＳ７５７からＳ７６１へ移動する。
【０２５１】
ステップＳ７６１において、プロセッサ３００は、変数Ｓｃiの値をｋａの値に設定し、Ｓｃi+1をｋｂの値に設定し、移動局ＭＳiによって使用されるシフトパラメータｐiをｋｂに設定し、移動局ＭＳi+1によって使用されるシフトパラメータｐi+1を、値Ｍiからｐiを引いたものに設定する。
【０２５２】
上述した例によれば、Ｓｃ0はヌル値に設定され、Ｓｃ1は２に設定される。移動局ＭＳ0によって使用されるシフトパラメータｐ0は２に設定され、移動局ＭＳ1によって使用されるシフトパラメータｐ1は値６に設定される。このような割り当ては、図１０に開示されている。
【０２５３】
その後、プロセッサ３００はステップＳ７０４へ戻る。
【０２５４】
図１０は、本発明による副搬送波への第１の移動局及び第２の移動局のシンボルのマッピングの第３の例を表す。
【０２５５】
移動局ＭＳ0に割り当てられた周波数帯域は、０〜７で示す副搬送波を含む。移動局ＭＳ1に割り当てられた周波数帯域は、２〜９で示す副搬送波を含む。
【０２５６】
移動局ＭＳ0は、０〜７で示す副搬送波でシンボルを転送する。０〜７で示す副搬送波は、図５の周波数マッピングモジュール５２の入力における副搬送波である。周波数マッピングモジュール５２によれば、これらの副搬送波は、周波数マッピングモジュール５２の出力において提供される副搬送波とは異なる場合があり、したがって、図５のＩＤＦＴモジュール５３及び５６の入力において提供される副搬送波とは異なる場合がある。
【０２５７】
移動局ＭＳ1は、２〜９で示す副搬送波でシンボルを転送する。２〜９で示す副搬送波は、図５の周波数マッピングモジュール５２の入力における副搬送波である。周波数マッピングモジュール５２によれば、これらの副搬送波は、周波数マッピングモジュール５２の出力において提供される副搬送波とは異なる場合があり、したがって、図５のＩＤＦＴモジュール５３及び５６の入力において提供される副搬送波とは異なる場合がある。
【０２５８】
第１の移動局ＭＳ0及び第２の移動局ＭＳ1が自身に割り当てられた周波数帯域でデータを同時に送信するとき、機能障害の問題はない。
【０２５９】
ライン１０００は、データ対（Ｘ０，−Ｘ１*）がマッピングされる副搬送波０を含む。ライン１００１は、データ対（Ｘ１，Ｘ０*）がマッピングされる副搬送波１を含む。副搬送波０及び１について機能障害は存在しない。
【０２６０】
ライン１００２は、データ対（Ｘ２，−Ｘ７*）及び（Ｙ０，−Ｙ５*）がマッピングされる副搬送波２を含む。ライン１００７は、データ対（Ｘ７，Ｘ２*）及び（Ｙ５，Ｙ０*）がマッピングされる副搬送波７を含む。副搬送波２及び７について機能障害は存在しない。
【０２６１】
ライン１００３は、データ対（Ｘ３，Ｘ５*）及び（Ｙ１，Ｙ４*）がマッピングされる副搬送波３を含む。ライン１００６は、データ対（Ｘ６，−Ｘ３*）及び（Ｙ４，−Ｙ１*）がマッピングされる副搬送波６を含む。副搬送波３及び６について機能障害は存在しない。
【０２６２】
ライン１００４は、データ対（Ｘ４，−Ｘ５*）及び（Ｙ２，−Ｙ３*）がマッピングされる副搬送波４を含む。ライン１００５は、データ対（Ｘ５，Ｘ４*）及び（Ｙ３，Ｙ２*）がマッピングされる副搬送波５を含む。副搬送波４及び５について機能障害は存在しない。
【０２６３】
ライン１００８は、データ対（Ｙ６，−Ｙ７*）がマッピングされる副搬送波８を含む。ライン１００９は、データ対（Ｙ７，Ｙ６*）がマッピングされる副搬送波９を含む。副搬送波８及び９について機能障害は存在しない。
【０２６４】
移動局ＭＳ1は、該移動局ＭＳ1に割り当てられた周波数帯域の副搬送波で、８個に等しいＭ1個のシンボルを転送する２つの送信アンテナを備える。シンボルＸ０〜Ｘ７は、第１のアンテナを介して送信される。シンボルＸ０〜Ｘ７は、ｋ＝０〜Ｍ1−１及びｐ1＝２についての次の式に従って、すなわち
【０２６５】
【数１２】
2010154528.tif 000014
【０２６６】
によって変更され、第２のアンテナで放射される信号が、第１のアンテナで放射される信号Ｘから与えられる。
【０２６７】
ライン１０００及び１００１は、同じシンボルＸ０及びＸ１に関連した情報を搬送するのでリンクされる。ライン１００２及び１００７は、同じシンボルＸ２及びＸ７に関連した情報を搬送するのでリンクされる。ライン１００３及び１００６は、同じシンボルＸ３及びＸ６に関連した情報を搬送するのでリンクされる。ライン１００４及び１００５は、同じシンボルＸ４及びＸ５に関連した情報を搬送するのでリンクされる。
【０２６８】
第２の移動局ＭＳ0は、該移動局ＭＳ0に割り当てられた周波数帯域の副搬送波で、１２個に等しいＭ0個のシンボルを転送する２つの送信アンテナを備える。シンボルＹ０〜Ｙ１１は、第１のアンテナを介して送信される。シンボルＹ０〜Ｙ１１は、ｋ＝０〜Ｍ0−１及びｐ0＝６についての次の式に従って、すなわち
【０２６９】
【数１３】
2010154528.tif 000015
【０２７０】
によって変更され、第２のアンテナで放射される信号が、第１のアンテナで放射される信号Ｙから与えられる。
【０２７１】
ライン１０００は、副搬送波０で送信される対（Ｙ０，−Ｙ５*）を示す。ライン１００７は、副搬送波７で送信される対（Ｙ５，Ｙ０*）を示す。ライン１０００及び１００７は、同じシンボルに関連した情報を搬送するのでリンクされる。
【０２７２】
ライン１００１及び１００６は、同じシンボルＹ１及びＹ４に関連した情報を搬送するのでリンクされる。ライン１００２及び１００３は、同じシンボルＹ３及びＹ２に関連した情報を搬送するのでリンクされる。ライン１００８及び１００９は、同じシンボルＹ６及びＹ７に関連した情報を搬送するのでリンクされる。
【０２７３】
図１１は、本発明の一変形による副搬送波への第１の移動局及び第２の移動局のシンボルのマッピングの第４の例を表す。
【０２７４】
この変形によれば、プロセッサ３００は、ステップＳ７０１及びＳ７０２において、ｋａをヌル値に等しく設定し、ｋｂを１に設定する。
【０２７５】
４つの副搬送波が移動局ＭＳ1に割り当てられ、１２個の副搬送波が移動局ＭＳ0に割り当てられる。
【０２７６】
移動局ＭＳ0は、０〜１１で示す副搬送波でシンボルを転送する。０〜１１で示す副搬送波は、図５の周波数マッピングモジュール５２の入力における副搬送波である。周波数マッピングモジュール５２によれば、これらの副搬送波は、周波数マッピングモジュール５２の出力において提供される副搬送波とは異なる場合があり、したがって、図５のＩＤＦＴモジュール５３及び５６の入力において提供される副搬送波とは異なる場合がある。
【０２７７】
移動局ＭＳ1は、１〜４で示す副搬送波でシンボルを転送する。１〜４で示す副搬送波は、図５の周波数マッピングモジュール５２の入力における副搬送波である。周波数マッピングモジュール５２によれば、これらの副搬送波は、周波数マッピングモジュール５２の出力において提供される副搬送波とは異なる場合があり、したがって、図５のＩＤＦＴモジュール５３及び５６の入力において提供される副搬送波とは異なる場合がある。
【０２７８】
第１の移動局ＭＳ0及び第２の移動局ＭＳ1が自身に割り当てられた周波数帯域でデータを同時に送信するとき、機能障害の問題はない。
【０２７９】
ライン１１００は、データ対（Ｙ０，−Ｙ５*）がマッピングされる副搬送波０を含む。ライン１１０５は、データ対（Ｙ５，Ｙ０*）がマッピングされる副搬送波５を含む。副搬送波０及び５について機能障害は存在しない。
【０２８０】
ライン１１０１は、データ対（Ｘ０，−Ｘ３*）及び（Ｙ１，Ｙ４*）がマッピングされる副搬送波１を含む。ライン１１０４は、データ対（Ｘ３，Ｘ０*）及び（Ｙ４，−Ｙ１*）がマッピングされる副搬送波４を含む。副搬送波１及び４について機能障害は存在しない。
【０２８１】
ライン１１０２は、データ対（Ｘ１，Ｘ２*）及び（Ｙ２，−Ｙ３*）がマッピングされる副搬送波２を含む。ライン１１０３は、データ対（Ｘ２，−Ｘ１*）及び（Ｙ３，Ｙ２*）がマッピングされる副搬送波３を含む。副搬送波２及び３について機能障害は存在しない。
【０２８２】
ライン１１０６は、データ対（Ｙ６，−Ｙ１１*）がマッピングされる副搬送波６を含む。ライン１１１１は、データ対（Ｙ１１，Ｙ６*）がマッピングされる副搬送波１１を含む。副搬送波６及び１１について機能障害は存在しない。
【０２８３】
ライン１１０７は、データ対（Ｙ７，Ｙ１０*）がマッピングされる副搬送波６を含む。ライン１１１０は、データ対（Ｙ１０，−Ｙ７*）がマッピングされる副搬送波１０を含む。副搬送波７及び１０について機能障害は存在しない。
【０２８４】
ライン１１０８は、データ対（Ｙ８，−Ｙ９*）がマッピングされる副搬送波８を含む。ライン１１０９は、データ対（Ｙ９，Ｙ８*）がマッピングされる副搬送波９を含む。副搬送波８及び９について機能障害は存在しない。
【０２８５】
移動局ＭＳ1は、該移動局ＭＳ1に割り当てられた周波数帯域の副搬送波で、４個に等しいＭ1個のシンボルを転送する２つの送信アンテナを備える。シンボルＸ０〜Ｘ３は、第１のアンテナを介して送信される。シンボルＸ０〜Ｘ３は、ｋ＝０〜Ｍ1−１及びｐ1＝０についての次の式に従って、すなわち
【０２８６】
【数１４】
2010154528.tif 000016
【０２８７】
によって変更され、第２のアンテナで放射される信号が、第１のアンテナで放射される信号Ｘから与えられる。
【０２８８】
ライン１１０１及び１１０４は、同じシンボルＸ０及びＸ３に関連した情報を搬送するのでリンクされる。ライン１１０２及び１１０３は、同じシンボルＸ１及びＸ２に関連した情報を搬送するのでリンクされる。
【０２８９】
第２の移動局ＭＳ0は、該移動局ＭＳ0に割り当てられた周波数帯域の副搬送波で、１２個に等しいＭ0個のシンボルを転送する２つの送信アンテナを備える。シンボルＹ０〜Ｙ１１は、第１のアンテナを介して送信される。シンボルＹ０〜Ｙ１１は、ｋ＝０〜Ｍ0−１及びｐ0＝６についての次の式に従って、すなわち
【０２９０】
【数１５】
2010154528.tif 000017
【０２９１】
によって変更され、第２のアンテナで放射される信号が、第１のアンテナで放射される信号Ｙから与えられる。
【０２９２】
ライン１１００は、同じ副搬送波で送信される対（Ｙ０，−Ｙ５*）を示す。ライン１１０５は、副搬送波５で送信される対（Ｙ５，Ｙ０*）を示す。ライン１１００及び１１０５は、同じシンボルに関連した情報を搬送するのでリンクされる。
【０２９３】
ライン１１０１及び１１０４は、同じシンボルＹ１及びＹ４に関連した情報を搬送するのでリンクされる。ライン１１０２及び１１０３は、同じシンボルＹ２及びＹ３に関連した情報を搬送するのでリンクされる。ライン１１０６及び１１１１は、同じシンボルＹ６及びＹ１１に関連した情報を搬送するのでリンクされる。ライン１１０７及び１１１０は、同じシンボルＹ７及びＹ１０に関連した情報を搬送するのでリンクされる。ライン１１０８及び１１０９は、同じシンボルＹ８及びＹ９に関連した情報を搬送するのでリンクされる。
【０２９４】
図１２は、本発明による各移動局によって実行されるアルゴリズムの一例を開示する。
【０２９５】
ステップＳ１２００において、移動局ＭＳは、その移動局ＭＳに割り当てられた副搬送波を表す情報を受信する。
【０２９６】
次のステップＳ１２０１において、移動局ＭＳは、その移動局ＭＳについて決定された決定済みシフトパラメータｐを表す情報を受信する。
【０２９７】
次のステップＳ１２０２において、転送されるシンボルは、受信されたシフトパラメータに従って、割り当てられた副搬送波にマッピングされ、基地局ＢＳへ転送される。
【０２９８】
図１３は、本発明による、基地局が複数の移動局からシンボルを受信するときに基地局によって実行されるアルゴリズムの一例を開示する。
【０２９９】
より正確には、本アルゴリズムは、基地局のプロセッサ３００によって実行される。
【０３００】
ステップＳ１３００において、プロセッサ３００は、基地局ＢＳがハンドリングする各移動局ＭＳに割り当てられた副搬送波を表す情報を取得する。
【０３０１】
基地局ＢＳがハンドリングする各移動局ＢＳに割り当てられた副搬送波を表す情報は、図７に開示したアルゴリズムに従って決定された情報と同様である。
【０３０２】
ステップＳ１３０１において、プロセッサ３００は、基地局ＢＳがハンドリングする各移動局ＭＳについて決定されたシフトパラメータを表す情報を取得する。
【０３０３】
基地局ＢＳがハンドリングする各移動局ＭＳについて決定されたシフトパラメータを表す情報は、図７に開示したアルゴリズムに従って決定された情報と同様である。
【０３０４】
次のステップＳ１３０２において、受信されたシンボルは、受信されたシフトパラメータに従って、割り当てられた副搬送波へのマッピングが解除される。
【０３０５】
当然のことながら、本発明の範囲から逸脱することなく、上述した本発明の実施形態に対して多くの変更を行うことができる。
【図１ａ】
2010154528.tif 000022
【図１ｂ】
2010154528.tif 000023
【図１ｃ】
2010154528.tif 000024
【図２】
2010154528.tif 000025
【図３】
2010154528.tif 000026
【図４】
2010154528.tif 000027
【図５】
2010154528.tif 000028
【図６】
2010154528.tif 000029
【図７ａ】
2010154528.tif 000030
【図７ｂ】
2010154528.tif 000031
【図８】
2010154528.tif 000032
【図９】
2010154528.tif 000033
【図１０】
2010154528.tif 000034
【図１１】
2010154528.tif 000035
【図１２】
2010154528.tif 000036
【図１３】
2010154528.tif 000037
【外国語明細書】
2010154528.tif 000038
2010154528.tif 000039
2010154528.tif 000040
2010154528.tif 000041
2010154528.tif 000042
2010154528.tif 000043
2010154528.tif 000044
2010154528.tif 000045
2010154528.tif 000046
2010154528.tif 000047
2010154528.tif 000048
2010154528.tif 000049
2010154528.tif 000050
2010154528.tif 000051
2010154528.tif 000052
2010154528.tif 000053
2010154528.tif 000054
2010154528.tif 000055
2010154528.tif 000056
2010154528.tif 000057
2010154528.tif 000058
2010154528.tif 000059
2010154528.tif 000060
2010154528.tif 000061
2010154528.tif 000062
2010154528.tif 000063
2010154528.tif 000064
2010154528.tif 000065
2010154528.tif 000066
2010154528.tif 000067
2010154528.tif 000068
2010154528.tif 000069
2010154528.tif 000070
2010154528.tif 000071
2010154528.tif 000072
2010154528.tif 000073
2010154528.tif 000074
2010154528.tif 000075
2010154528.tif 000076
2010154528.tif 000077
2010154528.tif 000078
2010154528.tif 000079
2010154528.tif 000080
2010154528.tif 000081